(57)【要約】【課題】安価な構造で且つ二次フィルタ全体で細かい塵埃を捕捉して集塵性能を高めることができる電気掃除機を提供すること。【解決手段】掃除機本体２に取り付けられる集塵容器３と、集塵容器３に取り付けられる一次フィルタ２８を有する一次フィルタ体２５と、一次フィルタ体２５に取り付けられる二次フィルタ体２６とを有し、二次フィルタ体２６に、可動性を有する袋状の二次フィルタ４４を支持する支持体４３が設けられ、二次フィルタ４４の閉塞端４４Ｂ側が支持体４３の内側に折り返され、一次フィルタ体２５に前記二次フィルタ体２６が取り付けられる際に一次フィルタ体２８の中央部の突起３５が支持体４３の内側に挿入される電気掃除機１であって、一次フィルタ体２５の底部に、一次フィルタ２８の下端となる下段窓部３０の下縁３０Ｂよりも上縁３４Ｔが上側となる底リブ３４が形成される。【選択図】図８
2019063023.tif 000002
【特許請求の範囲】
【請求項１】
電動送風機が内蔵される掃除機本体と、この掃除機本体に対して着脱可能に取り付けられる集塵容器と、この集塵容器に対して着脱可能に取り付けられると共に側面に一次フィルタが設けられる一次フィルタ体と、この一次フィルタ体の下流側に着脱可能に取り付けられると共に可撓性を有する袋状の二次フィルタが設けられる二次フィルタ体とを有し、この二次フィルタ体に、前記二次フィルタを支持する支持体が設けられ、前記二次フィルタの閉塞端側が前記支持体の内側に折り返され、前記一次フィルタ体の中央部に、前記二次フィルタ側に突出して延びる突起が設けられると共に、前記一次フィルタ体に前記二次フィルタ体が取り付けられる際に、前記突起が前記支持体の内側に挿入される電気掃除機において、
前記二次フィルタ体における気流の下流側を上側としたとき、前記一次フィルタ体の底部に、その上端が前記一次フィルタの下端よりも上側となる底リブが形成されると共に、この底リブの中央に前記突起が形成されることを特徴とする電気掃除機。
【請求項２】
前記突起が通気路を構成する凹部を有することを特徴とする請求項１記載の電気掃除機。
【請求項３】
前記突起が、板状部材が交差して形成され、この板状部材同士の間が通気路となることを特徴とする請求項２記載の電気掃除機。
【発明の詳細な説明】
【技術分野】
【０００１】
本発明は、電気掃除機に関するものであり、特にフィルタ部分の構造に関するものである。
【背景技術】
【０００２】
従来、この種の電気掃除機としては、電動送風機が内蔵された掃除機本体と、この掃除機本体に対して着脱可能に取り付けられた集塵容器と、この集塵容器に対して着脱可能に取り付けられると共に一次フィルタが設けられた筒状体（一次フィルタ体）と、この筒状体の下流側に着脱可能に取り付けられると共に袋状の二次フィルタが設けられた二次フィルタ体とを有し、前記二次フィルタ体に、可撓性を有する前記二次フィルタを支持する支持体が設けられ、前記二次フィルタの閉塞端側が前記支持体の内側に裏返されるように折り返され、前記筒状体の中央部に、前記二次フィルタ側に突出して延びる突起が設けられると共に、前記筒状体に前記二次フィルタ体が取り付けられた際に、前記突起が前記支持体の内側に挿入されるものが知られている（例えば、特許文献１参照。）。そして、この電気掃除機では、前記一次フィルタを通過した気流が前記二次フィルタを通過する。従って、比較的粗い塵埃は、前記一次フィルタによって捕捉され、この一次フィルタを通過した細かい塵埃は、前記二次フィルタによって捕捉される。なお、前記二次フィルタが折り返されているので、前記一次フィルタを通過した細かい塵埃は、前記二次フィルタの基端側と折り返し部の両方において捕捉される。
【先行技術文献】
【特許文献】
【０００３】
【特許文献１】特開２００９−２７９２８４号公報
【発明の概要】
【発明が解決しようとする課題】
【０００４】
しかしながら、このような電気掃除機では、実際には前記二次フィルタの折り返し部において、塵埃が殆ど捕捉されない。これは、前記二次フィルタ体における気流の下流側を上方と定義した場合、前記一次フィルタ体に形成された前記一次フィルタの下端が、前記二次フィルタの下端よりも上方にあるためである。前記一次フィルタ体の底部に一次フィルタを設けることも可能ではあるが、成形金型内における前記一次フィルタ体の側面及び底面に該当する位置に、一次フィルタとなるメッシュシートを皺が寄らないように配置して前記一次フィルタ体を成形するのは難しく、コストアップに繋がるという問題があった。
【０００５】
本発明は以上の問題点を解決し、安価な構造で且つ二次フィルタ全体で細かい塵埃を捕捉して集塵性能を高めることができる電気掃除機を提供することを目的とする。
【課題を解決するための手段】
【０００６】
本発明の請求項１に記載の電気掃除機は、電動送風機が内蔵される掃除機本体と、この掃除機本体に対して着脱可能に取り付けられる集塵容器と、この集塵容器に対して着脱可能に取り付けられると共に側面に一次フィルタが設けられる一次フィルタ体と、この一次フィルタ体の下流側に着脱可能に取り付けられると共に可撓性を有する袋状の二次フィルタが設けられる二次フィルタ体とを有し、この二次フィルタ体に、前記二次フィルタを支持する支持体が設けられ、前記二次フィルタの閉塞端側が前記支持体の内側に折り返され、前記一次フィルタ体の中央部に、前記二次フィルタ側に突出して延びる突起が設けられると共に、前記一次フィルタ体に前記二次フィルタ体が取り付けられる際に、前記突起が前記支持体の内側に挿入される電気掃除機において、前記二次フィルタ体における気流の下流側を上側としたとき、前記一次フィルタ体の底部に、その上端が前記一次フィルタの下端よりも上側となる底リブが形成されると共に、この底リブの中央に前記突起が形成されるものである。
【０００７】
また、本発明の請求項２に記載の電気掃除機は、請求項１において、前記突起が通気路を構成する凹部を有するものである。
【０００８】
また、本発明の請求項３に記載の電気掃除機は、請求項２において、前記突起が、板状部材が交差して形成され、この板状部材同士の間が通気路となるものである。
【発明の効果】
【０００９】
本発明の請求項１に記載の電気掃除機は、以上のように構成することにより、前記一次フィルタ体の側面に設けられる一次フィルタの上部から吸引された気流が、前記二次フィルタの基端側を通過し、前記一次フィルタの下部から吸引された気流が、前記二次フィルタの折り返し部から閉塞端にかけての範囲を通過するので、前記二次フィルタ全体で細かい塵埃を捕捉して集塵性能を高めることができる。
【００１０】
なお、前記突起が通気路を構成する凹部を有するので、前記一次フィルタの下部から吸引された気流を確実に前記二次フィルタの折り返し部から閉塞端にかけての範囲へ送ることができる。
【００１１】
また、前記突起が、板状部材が交差して形成され、この板状部材同士の間が通気路となるので、単純な構造で前記通気路を有する突起を形成することができる。
【図面の簡単な説明】
【００１２】
【図１】本発明の一実施形態を示す電気掃除機の外観図であり、（ａ）は正面図、（ｂ）は右側面図である。
【図２】同、集塵部のＸ−Ｘ断面図である。
【図３】同、フィルタ組立体の側面図である。
【図４】同、フィルタ組立体の平面図である。
【図５】同、フィルタ組立体のＹ−Ｙ断面図である。
【図６】同、フィルタ組立体を構成する一次フィルタ体の平面図である。
【図７】同、一次フィルタ体のＺ−Ｚ断面図である。
【図８】同、フィルタ組立体を流通する気流の説明図である。
【発明を実施するための形態】
【００１３】
以下、本発明の実施形態について、図１乃至図８に基づいて説明する。なお、以下の説明において、図１を基準として、本実施形態の上下を規定する。
【００１４】
１は本発明の縦型の電気掃除機である。この電気掃除機１は、掃除機本体２と、この掃除機本体２の下方に、バヨネット式に着脱可能に取り付けられる集塵部３と、この集塵部３の下端に対し着脱可能に取り付けられる延長管４と、この延長管４の下端に対し着脱可能に取り付けられるノズル５とを有して構成される。なお、前記ノズル５は、前記延長管４を介さずに、前記集塵部３の下端に取り付けることも可能である。
【００１５】
前記掃除機本体２は、その上部にハンドル６を有しており、このハンドル６にスイッチ操作部７が設けられる。また、前記ハンドル６の端部には、不使用時に前記電気掃除機１をフック等に引っ掛けておくためのループ紐８が設けられる。更に、前記掃除機本体２内には、図示しない電動送風機、二次電池、及び制御回路が収容される。なお、９は前記二次電池に給電するための充電コネクタである。
【００１６】
前記集塵部３は、集塵容器１０と、接続管部１１と、フィルタ取付部１２と、フィルタ組立体１３と、逆止弁部１４と、緩衝部１５とを有して構成される。前記集塵容器１０と接続管部１１は、合成樹脂によって一体成形される。また、前記接続管部１１は、前記集塵容器１０の下方に設けられる。そして、この集塵容器１０の上端は上端開口部１６を有する。また、前記接続管部１１の下端も下端開口部１７を有する。更に、前記集塵容器１０の底部と接続管部１１の上端との接続箇所は、中間開口部１８を有する。従って、前記集塵容器１０と接続管部１１は、この接続管部１１の下端開口部１７から中間開口部１８を通って前記集塵容器１０の上端開口部１６へ気流が流通可能である。そして、前記中間開口部１８を閉じるように、前記逆止弁部１４が取り付けられる。この逆止弁部１４は、前記集塵容器１０及び接続管部１１に固定される取付座１９と、この取付座１９に取り付けられる、可撓性材質からなる逆止弁２０とを有する。また、前記集塵容器１０の下部後方に取付部２１が設けられ、この取付部２１に、エラストマー等のゴム弾性を有すると共に滑りにくい材質からなる緩衝体２２が設けられる。そして、この緩衝体２２によって、前記緩衝部１５が構成される。また、前記集塵容器１０の上端開口部１６には、前記フィルタ取付部１２が取り付けられる。このフィルタ取付部１２は、円筒部２３と、この円筒部２３の下方に設けられた円錐部２４とを有する。更に、前記フィルタ取付部１２の円筒部２３には、前記フィルタ組立体１３が着脱可能に取り付けられる。
【００１７】
前記フィルタ組立体１３について詳述する。このフィルタ組立体１３は、一次フィルタ体２５と、二次フィルタ体２６とを有して構成される。なお、前記一次フィルタ体２５は、前記二次フィルタ体２６に対してバヨネット式に着脱可能に取り付けられる。
【００１８】
前記一次フィルタ体２５は、筒状本体２７と網状の一次フィルタ２８とを有して構成される。前記筒状本体２７は、有底で且つ側面に複数の窓部が形成される。これらの窓部は、周方向に並んで回転対称となるように形成された上段窓部２９と、同じく周方向に並んで回転対称となるように形成された下段窓部３０からなる。本実施形態では、前記上段窓部２９は周方向に四箇所形成され、同様に前記下段窓部３０も周方向に四箇所形成される。そして、これらの窓部同士の間には、それぞれ柱状体３１と環状体３２が回転対称となるように設けられる。即ち、本実施形態では、柱状体３１は四本形成され、この四本の前記柱状体３１のほぼ中央を周方向に繋ぐように、前記環状体３２が形成される。なお、前記筒状本体２７の底部には、窓部は設けられない。そして、前記上段窓部２９と下段窓部３０には、それぞれ前記一次フィルタ２８が張られる。また、前記各柱状体３１の内側には、それぞれ補強リブ３３が回転対称となるように形成される。更に、これらの補強リブ３３の下端部を繋ぐように、板状の底リブ３４が形成される。なお、この底リブ３４は、各補強リブ３３の下端部から前記筒状本体２７の底部中央に向かって形成される。即ち、本実施形態において、前記底リブ３４は、前記筒状本体２７の底部の中央で十字状に交差する。また、この底リブ３４の上縁３４Ｔは、前記下段窓部３０の下縁３０Ｂよりも上側の位置となるように形成される。更に、前記底リブ３４の中央交差部から上方に突出して、突起３５が回転対称となるように形成される。なお、この突起３５は、前記底リブ３４と同様に、板状部材３６を十字状に交差させて形成される。また、前記突起３５は、上方に向かうほど細くなるように形成される。そして、前記突起３５における隣り合う前記板状部材３６同士の間には、底の角度が９０度となるＶ字状の凹部たる凹溝３７が形成され、この凹溝３７が通気路３８となる。更に、前記筒状本体２７の側壁の上部には、二つの取付溝３９が軸対称となるように形成される。即ち、本実施形態において、前記筒状本体２７、ひいては前記一次フィルタ体２５は、全体として二回対称となるように形成される。
【００１９】
前述したように、前記一次フィルタ体２５は、その筒状本体２７の側面にのみ窓部２９，３０が形成され、その底部には窓部が形成されない。従って、前記一次フィルタ２８は前記一次フィルタ体２５の側面にのみ形成される。このような構造とすることで、前記一次フィルタ２８を構成するメッシュシートを筒状に巻いた状態で成型金型にセットし、前記筒状本体２７を成型すれば良いので、安価に且つ容易に前記一次フィルタ体２５を形成することができる。
【００２０】
前記二次フィルタ体２６は、両端が開口した短円筒部４０と、この短円筒部４０の上端から外側に形成されたフランジ部４１と、前記短円筒部４０の下端に設けられた段差部４２と、この段差部４２から下方に延びて形成された支持体４３と、前記支持体４３の上部に固定された可撓性を有する袋状の二次フィルタ４４と、シール部材４５を有して構成される。なお、前記短円筒部４０とフランジ部４１と段差部４２と支持体４３は、合成樹脂によって一体成型される。また、前記段差部４２によって、前記支持体４３の径が前記短円筒部４０の径よりも小さく形成される。そして、前記支持体４３の上部内側には、指掛け部４６が形成される。前記フランジ部４１は、ほぼ円形に形成される。そして、前記短円筒部４０の外側面で且つ前記フランジ部４１の下方には、このフランジ部４１と所定の距離を隔てて環状の突条部４７が形成される。この突条部４７の上面と前記短円筒部４０の外側面と前記フランジ部４１の下面によって、凹溝４８が形成され、この凹溝４８に前記シール部材４５が取り付けられる。このシール部材４５は、前記フィルタ組立体１３を前記フィルタ取付部１２の円筒部２３に挿入した際に、外周部が前記円筒部２３の内面に密着するように構成される。そして、前記突条部４７の下面は、前記二次フィルタ体２６に前記一次フィルタ体２５を取り付ける際に、この一次フィルタ体２５の上端の位置合わせをするように作用する。また、前記支持体４３は、複数の柱状体４９及びこれらの柱状体４９同士を平面視でＣ字状に接続する上環状部５０及び下環状体５１により、全体として裁頭円錐形に形成されると共に、前記柱状体４９同士及び前記環状体５０，５１の内側を、気流が流通可能に構成される。なお、前記各柱状体４９の内側には、それぞれ補強用のリブ５２が形成される。また、前記二次フィルタ４４は、前記支持体４３を外側から覆うと共に、その開口端４４Ａが前記支持体４３の上端部近傍に固定される。一方、前記二次フィルタ４４の閉塞端４４Ｂ側は、これを裏返すように、前記下環状体５１を通して前記支持体４３の内側へ折り返される。そして、このように折り返された前記二次フィルタ４４は、前記支持体４３によって支えられる。なお、前記二次フィルタ４４の閉塞端４４Ｂは、前記二次フィルタ４４の折り返し部４４Ｃが前記下環状体５１に当接するまで、前記支持体４３内に押し込むことが可能である。更に、前記二次フィルタ体２６の段差部４２には、外方に突出するように一対の係合突起５３が形成される。これらの係合突起５３は、前記二次フィルタ体２６の中心を基準として軸対称となるように設けられる。そして、前記各係合突起５３は、前記二次フィルタ体２６に前記一次フィルタ体２５を取り付ける際に、前記取付溝３９と係合する。
【００２１】
前記取付溝３９と前記係合突起５３とを係合させて、前記一次フィルタ体２５と前記二次フィルタ体２６とを結合させると、前記一次フィルタ体２５の突起３５が前記二次フィルタ体の下環状体５１から前記支持体３３の内側に入り込む。これによって、前記下環状体５１から内側に折り返された前記二次フィルタ４４の閉塞端４４Ｂ側の内側に、前記突起３５が入り込む。そして、これによって、前記二次フィルタ４４の閉塞端４４Ｂ側が前記突起３５によって支えられる。なお、前記二次フィルタ４４の下端となる折り返し部４４Ｃの最低位置は、前記底リブ３４の上縁３４Ｔとほぼ同じ高さである。また、前記二次フィルタ４４の折り返し部４４Ｃの最高位置は、前記支持体４３の下環状体５１と同じ高さである。（実際には、前記二次フィルタ４４自体の厚さ分、前記下環状体５１の高さよりも低くなる。）これら何れの場合も、前記二次フィルタ４４の下端となる折り返し部４４Ｃの高さは、前記下段窓部３０の下縁３０Ｂよりも高くなる。
【００２２】
次に、本実施形態の作用について説明する。まず、使用者は、前記電気掃除機１を使用する前に、前記充電コネクタ１０に図示しない電源コードを接続し、前記掃除機本体２内の二次電池を充電しておく。なお、このように前記電気掃除機１の不使用時は、この電気掃除機１のハンドル６の先端部に取り付けられた前記ループ紐８を、家の壁等に取り付けられたフックに引っ掛けておく。このようにすることで、前記電気掃除機１を邪魔にならないようにすることができる。なお、このように前記ループ紐８をフックに引っ掛けておくと、前記電気掃除機１の重量バランスにより、前記集塵部３の集塵容器１０の下後部が壁に当たる。しかしながら、この位置に前記緩衝部１５が設けられることで、前記集塵容器１０が壁等に衝突しても、前記緩衝部１５の緩衝体２２が衝撃を吸収するので、前記集塵容器１０、ひいては前記電気掃除機１が衝撃で故障するのを抑制することができる。逆に、前記緩衝体２２が前記電気掃除機１の衝突の衝撃を吸収するので、壁等が傷むのを抑制することができる。また、前記緩衝体２２がエラストマー等の滑りにくい材質からなるので、フック等に引っ掛けた状態で前記電気掃除機１が揺れ動いて擦れるのを抑制し、壁等に傷を付けにくくすることができる。
【００２３】
充電済みの前記電気掃除機１を使用する場合、使用者は、フック等から前記ループ紐８を外し、前記ハンドル６を把持し、前記スイッチ操作部７を操作することで、二次電池から供給される電力で電動送風機を作動させて吸引気流を発生させる。この吸引気流は含塵気流となり、前記ノズル５から前記延長管４を経て、前記集塵部３に吸引される。そして、この集塵部３において、含塵気流に含まれる塵埃は、前記フィルタ組立体１３によって気流から濾過分離される。そして、塵埃が除かれた気流は、前記フィルタ組立体１３を通過した後、前記掃除機本体２から外部に放出される。一方、前記フィルタ組立体１３によって濾過された塵埃は、前記集塵部３に貯められる。そして、前記集塵容器１０の中間開口部１８に前記逆止弁部１４が設けられるので、前記集塵部３に貯められた塵埃が前記ノズル５側に逆流することがない。
【００２４】
前記フィルタ組立体１３による塵埃濾過について詳述する。なお、含塵気流は下方の前記ノズル５から上方の前記掃除機本体２へ流れる。即ち、図８における前記接続管部１１の下端開口部１７から、前記フィルタ組立体１３の二次フィルタ体２６の短円筒部４０へ気流が流れる。まず、前記接続管部１１から前記逆止弁部１４を通過して、前記集塵容器１０内に含塵気流が流入する。そして、この集塵容器１０内に流入した含塵気流は、前記一次フィルタ体２５の一次フィルタ２８を通過する。この際、前記含塵気流に含まれる粗い塵埃は、前記一次フィルタ２８によって捕捉される。そして、この一次フィルタ２８を通過した含塵気流は、前記二次フィルタ体２６の二次フィルタ４４を通過する。この際、前記含塵気流に含まれる細かい塵埃は、前記二次フィルタ４４によって捕捉される。そして、この二次フィルタ４４を通過して清浄になった気流は、前記二次フィルタ体２６の短円筒部４０を通って前記電動送風機に吸引された後、前記掃除機本体２の排気口から排出される。
【００２５】
なお、図８に示すように、前記フィルタ組立体１３を通過する気流のうち、主流は気流Ｆｍである。この気流Ｆｍは、前記上段窓部２９及び下段窓部３０に設けられた前記一次フィルタ２８を通過した後、前記二次フィルタ４４の開口端４４Ａから折り返し部４４Ｃまでの間を通過する気流である。一方、気流Ｆｍの他に、前記下段窓部３０の下部に設けられた前記一次フィルタ２８を通過した後、前記二次フィルタ４４の下端となる折り返し部４４Ｃから前記閉塞端４４Ｂに向かって流れる気流Ｆｕも形成される。前記気流Ｆｍに含まれる塵埃は、前記二次フィルタ４４の開口端４４Ａから折り返し部４４Ｃにかけての範囲で捕捉される。一方、前記気流Ｆｕに含まれる塵埃は、前記二次フィルタ４４の折り返し部４４Ｃから閉塞端４４Ｂにかけての範囲で捕捉される。なお、前述したように、前記二次フィルタ４４の下端となる折り返し部４４Ｃが前記下段窓部３０の下縁３０Ｂよりも上側となるので、これら折り返し部４４Ｃと下縁３０Ｂとの間が気流Ｆｕの通路となる。このため、前記折り返し部４４Ｃから閉塞端４４Ｂにかけての範囲で確実に塵埃を捕捉することができる。即ち、前記二次フィルタ４４全体を使って、効果的に塵埃を捕捉することができるので、目詰まりを抑制することができる。また、前記突起３５自体が前記凹溝３７からなる通気路３８を有するので、気流Ｆｕがこの通気路３８を通って流れる。従って、前記突起３５と前記二次フィルタ４４との間に適切な間隔を形成し、確実に気流Ｆｕを前記折り返し部４４Ｃから閉塞端４４Ｂにかけての範囲へ送ることができる。そして、前記通気路３８が凹溝３７であることから、この凹溝３７の開放側が前記二次フィルタ４４の折り返し部４４Ｃから閉塞端４４Ｂにかけての範囲と対向する。従って、気流Ｆｕは、前記折り返し部４４Ｃから閉塞端４４Ｂにかけての広い範囲で前記二次フィルタ４４を通過することができる。このため、前記二次フィルタ４４の折り返し部４４Ｃから閉塞端４４Ｂにかけての面積を有効に活用して、塵埃を捕捉することができる。更に、前記凹溝３７自体が、前記板状部材３６を十字状に交差させて形成されるので、単純な構造で前記通気路３８を有する突起３５を形成することができるばかりでなく、前記凹溝３７の開放側を広く開放することができる。従って、前記二次フィルタ４４の折り返し部４４Ｃから閉塞端４４Ｂにかけての面積を更に有効に活用して、塵埃を捕捉することができる。
【００２６】
以上のように、本発明の電気掃除機１は、電動送風機が内蔵される掃除機本体２と、この掃除機本体２に対して着脱可能に取り付けられる集塵容器３と、この集塵容器３に対して着脱可能に取り付けられると共に側面に一次フィルタ２８が設けられる一次フィルタ体２５と、この一次フィルタ体２５の下流側に着脱可能に取り付けられると共に可撓性を有する袋状の二次フィルタ４４が設けられる二次フィルタ体２６とを有し、前記二次フィルタ体２６に、前記二次フィルタ４４を支持する支持体４３が設けられ、前記二次フィルタ４４の閉塞端４４Ｂ側が前記支持体４３の内側に折り返され、前記一次フィルタ体２８の中央部に、前記二次フィルタ４４側に突出して延びる突起３５が設けられると共に、前記一次フィルタ体２５に前記二次フィルタ体２６が取り付けられる際に、前記突起３５が前記支持体４３の内側に挿入される電気掃除機において、前記二次フィルタ体２６における気流の下流側を上側としたとき、前記一次フィルタ体２５の底部に、その上端となる上縁３４Ｔが前記一次フィルタ２８の下端となる下段窓部３０の下縁３０Ｂよりも上側となる底リブ３４が形成されると共に、この底リブ３４の中央に前記突起３５が形成されることにより、前記一次フィルタ体２５の側面に設けられた一次フィルタ２８の上部から吸引された気流Ｆｍが、前記二次フィルタ４４の基端側となる開口端４４Ａから折り返し部４４Ｃにかけての範囲を通過し、前記一次フィルタ２８の下部から吸引された気流Ｆｕが、前記二次フィルタ４４の折り返し部４４Ｃから閉塞端４４Ｂにかけての範囲を通過するので、前記二次フィルタ４４全体で細かい塵埃を捕捉して集塵性能を高めることができるものである。
【００２７】
また、本発明の電気掃除機１は、前記突起３５が通気路３８を構成する凹部としての凹溝３７を有するので、前記一次フィルタ２８の下部から吸引された気流Ｆｕを確実に前記二次フィルタ４４の折り返し部４４Ｃから閉塞端４４Ｂにかけての範囲へ送ることができるものである。
【００２８】
更に、本発明の電気掃除機１は、前記突起３５が、板状部材３６を交差させて形成され、この板状部材３６同士の間が通気路となるので、単純な構造で前記通気路３８を有する突起３５を形成することができるばかりでなく、形成される凹部が凹溝３７となり、この凹溝３７の開放側が前記二次フィルタ４４の折り返し部４４Ｃから閉塞端４４Ｂにかけての範囲と対向するので、気流Ｆｕが、前記折り返し部４４Ｃから閉塞端４４Ｂにかけての広い範囲で前記二次フィルタ４４を通過することができ、更に、前記凹溝３７の開放側を広く開放することができることから、前記二次フィルタ４４の面積を更に有効に活用して、塵埃を捕捉することができるものである。
【００２９】
なお、本発明は以上の実施形態に限定されるものではなく、発明の要旨の範囲内で種々の変形実施が可能である。例えば、上記実施形態はフィルタ式電気掃除機であるが、サイクロン式電気掃除機に適用することも可能である。また、上記実施形態はスティック型電気掃除機であるが、横型電気掃除機に適用することも可能である。更に、集塵部が横向きのものに適用することも可能である。この場合も、気流の下流側が上と定義する。
【符号の説明】
【００３０】
１  電気掃除機
２  掃除機本体
３  集塵部
１０  集塵容器
１３  フィルタ組立体
２５  一次フィルタ体
２６  二次フィルタ体
２７  筒状本体
２８  一次フィルタ
３０  下段窓部
３０Ｂ  下縁
３４  底リブ
３４Ｔ  上縁
３５  突起
３６  板状部材
３７  凹溝（凹部）
３８  通気路
４３  支持体
４４  二次フィルタ
４４Ａ  開口端
４４Ｂ  閉塞端
４４Ｃ  折り返し部
５１  下環状体
Ｆｕ  気流
【図１】
2019063023.tif 000003
【図２】
2019063023.tif 000004
【図３】
2019063023.tif 000005
【図４】
2019063023.tif 000006
【図５】
2019063023.tif 000007
【図６】
2019063023.tif 000008
【図７】
2019063023.tif 000009
【図８】
2019063023.tif 000010